(57)【要約】【課題】  段ボール箱において、段ボールに切れ目を入れることなく、段ボールの段潰しに基づく簡易な構成により、段積み時の荷ずれを防止すること。【解決手段】  段ボール箱１００であって、蓋体２０の天面部２１の輪郭が該天面部２１の周囲に連設される側面部２２、２３との折り曲げ罫線３０により区画されるとき、該天面部２１の輪郭の内部の、該折り曲げ罫線３０に囲まれる位置よりも内側の領域に段ボールの段潰し凹部３１を設け、この段潰し凹部３１に上側の段ボール箱１００の箱本体１０の底面部１１を受け入れて載置可能にするもの。【選択図】  図２
2016069069.tif 000002
【特許請求の範囲】
【請求項１】
箱本体に蓋体を被着可能にし、段積みされる上下の段ボール箱の相互間で、上側の段ボール箱の箱本体の底面部が下側の段ボール箱の蓋体の天面部の輪郭の内部に載置される段ボール箱であって、
蓋体の天面部の輪郭が該天面部の周囲に連設される側面部との折り曲げ罫線により区画されるとき、該天面部の輪郭の内部の、該折り曲げ罫線に囲まれる位置よりも内側の領域に段ボールの段潰し凹部を設け、この段潰し凹部に上側の段ボール箱の箱本体の底面部を受け入れて載置可能にする段ボール箱。
【請求項２】
前記蓋体の天面部の輪郭を区画する折り曲げ罫線が、該天面部の平面視で、該天面部の輪郭の内部に向けて凹み状をなす請求項１に記載の段ボール箱。
【請求項３】
箱本体に蓋体を被着可能な段ボール箱であって、
箱本体の底面部の縦横の輪郭寸法が蓋体の天面部の縦横の輪郭寸法より小さくなり、
蓋体の天面部の輪郭が該天面部の周囲に連設される側面部との折り曲げ罫線により区画されるとき、該天面部の輪郭の内部の、該折り曲げ罫線に囲まれる位置よりも内側の領域に段ボールの段潰し凹部を設け、
段ボール同士を段積みする際に段潰し凹部に上側の段ボール箱の箱本体の底面部を受け入れて載置可能にする段ボール箱。
【発明の詳細な説明】
【技術分野】
【０００１】
本発明は段ボール箱に関する。
【背景技術】
【０００２】
従来、段積み時における荷ずれの防止を図った段ボール箱として、特許文献１、２に記載のものがある。
【０００３】
特許文献１に記載の段ボール箱は、底面部及び天面部の一方の段ボールに凹部、他方の段ボールに凸部をそれぞれ段潰しにより形成し、凹部及び凸部の外周に、その段差に臨んで相反する方向に膨出した切目線を入れ、切目線から露出する段ボールの切断縁同士が積上げ時に噛合うようにしたものである。
【０００４】
特許文献２に記載の段ボール箱は、天井部の側縁に門型の切線を刻設して突起を形成するとともに、底面部には、段ボール箱を積み重ねたときに該突起に対応する箇所に切欠きを形成したものである。これにより、段ボール箱を段積みしたときに、突起と切欠きが嵌合することにより、荷ずれを防止するものである。
【先行技術文献】
【特許文献】
【０００５】
【特許文献１】特開2013-6623号公報
【特許文献２】特開2013-154891号公報
【発明の概要】
【発明が解決しようとする課題】
【０００６】
特許文献１に記載の段ボール箱には以下の問題点がある。
(1)段積みした上下の段ボール箱の位置合わせのために、上側の段ボール箱を下側の段ボール箱の上で滑らせるとき、上下の段ボール箱の段ボールに入れた切目線の互いに噛合った切断縁同士が破損するおそれがあるし、それらの切目線が作業者の指を傷つけるおそれがある。
【０００７】
(2)段ボールに入れた切目線が段ボール箱の強度を低下する。この強度低下は、軽量化、低コスト化のために段ボールの厚みを薄くした段ボール箱において顕著になる。
【０００８】
(3)切目線が段ボールの表裏に貫通して設けられた段ボール箱では、異物が箱内に侵入するおそれがある。
【０００９】
特許文献２に記載の段ボール箱には以下の問題点がある。
(1)段積みした上下の段ボール箱の位置合わせのために、上側の段ボール箱を下側の段ボール箱の上で滑らせるとき、底面部と天面部の一方に形成してある凸部が押し倒されて破損するおそれがあるし、他方に形成してある切欠きが作業者の指を傷つけるおそれがある。
【００１０】
(2)天面部に刻設した切線、底面部に形成した切欠きが段ボール箱の強度を低下する。この強度低下は、軽量化、低コスト化のために段ボールの厚みを薄くした段ボール箱において顕著になる。
【００１１】
(3)異物が切線、切欠きから箱内に侵入するおそれがある。
【００１２】
本発明の課題は、段ボール箱において、段ボールに切れ目を入れることなく、段ボールの段潰しに基づく簡易な構成により、段積み時の荷ずれを防止することにある。
【課題を解決するための手段】
【００１３】
請求項１に係る発明は、箱本体に蓋体を被着可能にし、段積みされる上下の段ボール箱の相互間で、上側の段ボール箱の箱本体の底面部が下側の段ボール箱の蓋体の天面部の輪郭の内部に載置される段ボール箱であって、蓋体の天面部の輪郭が該天面部の周囲に連設される側面部との折り曲げ罫線により区画されるとき、該天面部の輪郭の内部の、該折り曲げ罫線に囲まれる位置よりも内側の領域に段ボールの段潰し凹部を設け、この段潰し凹部に上側の段ボール箱の箱本体の底面部を受け入れて載置可能にするようにしたものである。
【００１４】
請求項３に係る発明は、箱本体に蓋体を被着可能な段ボール箱であって、箱本体の底面部の縦横の輪郭寸法が蓋体の天面部の縦横の輪郭寸法より小さくなり、蓋体の天面部の輪郭が該天面部の周囲に連設される側面部との折り曲げ罫線により区画されるとき、該天面部の輪郭の内部の、該折り曲げ罫線に囲まれる位置よりも内側の領域に段ボールの段潰し凹部を設け、段ボール同士を段積みする際に段潰し凹部に上側の段ボール箱の箱本体の底面部を受け入れて載置可能にするようにしたものである。
【発明の効果】
【００１５】
本発明によれば、段ボール箱において、段ボールに切れ目を入れることなく、段ボールの段潰しに基づく簡易な構成により、段積み時の荷ずれを防止することができる。
【図面の簡単な説明】
【００１６】
【図１】図１は実施例１の段ボール箱において、上側の段ボール箱の箱本体の底面部が下側の段ボール箱の蓋体の天面部の上に段積みされた状態を示す模式斜視図である。
【図２】図２は上下の段ボール箱の段積み状態を示す模式断面図である。
【図３】図３は実施例１の段ボール箱の蓋体を示す展開図である。
【図４】図４は蓋体の変形例を示す展開図である。
【図５】図５は段ボール箱の抜き型の一例を示す模式図である。
【図６】図６は段ボール箱の抜き型の他の例を示す模式図である。
【図７】図７は実施例２の上下の段ボール箱の段積み状態を示す模式断面図である。
【図８】図８は実施例２の段ボール箱の蓋体を示す展開図である。
【図９】図９は蓋体の変形例を示す展開図である。
【図１０】図１０は蓋体の他の変形例を示す展開図である。
【発明を実施するための形態】
【００１７】
（実施例１）（図１〜図６）
図１、図２に示した実施例１の段ボール箱１００は、箱本体１０に蓋体２０を被着可能にしたものである。図１、図２は下側の段ボール箱１００の箱本体１０、蓋体２０と上側の段ボール箱１００の箱本体１０を示しており、上側の段ボール箱１００の箱本体１０の底面部１１が下側の段ボール箱１００の蓋体２０の天面部２１の上に段積みされた状態を示している。
【００１８】
箱本体１０は、段ボールからなり、図１、図２に示す如く、矩形状の底面部１１の四辺に側面部１２が連設して立設され、上部に開口１３を備える。箱本体１０は、一部の側面部１２、本実施例では相対する２つの側面部１２、１２に陳列用窓１４を備える。箱本体１０は、図２に示す如く、洗剤や食品等が充填されたスタンディングパウチＰ等が収容される。
【００１９】
蓋体２０は、段ボールからなり、図１〜図３に示す如く、矩形状の天面部２１の対向する二辺に側面部２２が連設されるとともに、天面部２１の他の対向する二辺に補助側面部２３が連設され、側面部２２の両側縁に補強舌片２４が連設されたものである。蓋体２０の組立状態で、対向する２つの補強舌片２４が重ね合わせ状態で内折りされ、補助側面部２３がそれらの補強舌片２４に接着される。即ち、蓋体２０にあっては、天面部２１の四辺に側面部２２、補助側面部２３が連設して立設され、蓋体２０の箱本体１０への被着状態で、箱本体１０の陳列用窓１４が設けられている側面部１２に対応する側面部２２は該側面部１２の全面を覆い、他の補助側面部２３は他の側面部１２の一部を覆う。
【００２０】
ここで、段ボール箱１００にあっては、箱本体１０の底面部１１の縦横の輪郭寸法（縦寸法１１ａ×横寸法１１ｂ）が蓋体２０の天面部２１の縦横の輪郭寸法（縦寸法２１ａ×横寸法２１ｂ）より小（１１ａ＜２１ａ、１１ｂ＜２１ｂ）とされる（図１）。そして、段積みされる上下の段ボール箱１００、１００の相互間で、上側の段ボール箱１００の箱本体１０の底面部１１が下側の段ボール箱１００の蓋体２０の天面部２１の輪郭の内部に載置される。
【００２１】
また、段ボール箱１００にあっては、図３に示す如く、蓋体２０の天面部２１の輪郭が該天面部２１の周囲に連設される側面部２２、補助側面部２３との４つの折り曲げ罫線３０により区画されるとき、該天面部２１の輪郭の内部の、該折り曲げ罫線３０に囲まれる位置よりも内側の領域に折り曲げ罫線３０に沿って段ボールの段潰し凹部３１を設け、この段潰し凹部３１に上側の段ボール箱１００の箱本体１０の底面部１１を受入れて載置可能にする。尚、４つの折り曲げ罫線３０は、矩形状の天面部２１の相隣る角点同士をつないだ一直線状をなす。
【００２２】
本実施例において、段潰し凹部３１は、図３に示す如く、折り曲げ罫線３０に囲まれる位置よりも内側の領域に設けられている。尚、段潰し凹部３１は、折り曲げ罫線３０の一部分に重なって設けられていても良い。
【００２３】
このとき、蓋体２０の段ボールは、表裏のライナーの間に波状の中芯を挟着したものであり、図５に示す抜き型２００により加工される。抜き型２００は、下型２１０と上型２２０とからなる。下型２１０はカッティングプレート２１１の上面にて突設されている加圧部材２１２を備える。上型２２０は段ボール押え２２１、切刃２２２、押罫部２２３、受止め部材２２４を備える。段ボール素材１をカッティングプレート２１１の上にセットし、下型２１０に対して上型２２０を下降させることにより、段ボール押え２２１が段ボール素材１を保持した状態で、切刃２２２が図３に示した展開状態の蓋体２０を型抜きする。この型抜きの過程で、押罫部２２３が上記段ボール素材１の各部に前記折り曲げ罫線３０等の折り曲げ罫線を付与するとともに、段ボール素材１においてこの折り曲げ罫線３０に囲まれる位置よりも内側の領域をカッティングプレート２１１の上面に突設されている加圧部材２１２と受止め部材２２４との間で加圧して段ボールの中芯を押し潰し、段潰し凹部３１を形成する。
【００２４】
従って、本実施例の段ボール箱１００によれば、以下の作用効果を奏する。
段ボール箱１００の蓋体２０における天面部２１の輪郭の内部の、該天面部２１に連設される側面部２２、補助側面部２３との折り曲げ罫線３０に囲まれる位置よりも内側の領域に段ボールの段潰し凹部３１を設けた。これにより、段ボール箱１００の天面部２１には、該天面部２１の内部の段潰し凹部３１が形成されるとともに、この段潰し凹部３１の周囲の折り曲げ罫線３０に沿う位置で段潰しされていない高段部３２が形成される。従って、上側の段ボール箱１００の箱本体１０において縦横の輪郭寸法を前述のように小としている底面部１１が下側の段ボール箱１００の蓋体２０の天面部２１の上記段潰し凹部３１に受け入れられて載置されたとき、上側の段ボール箱１００の底面部１１は下側の段ボール箱１００の天面部２１の高段部３２に囲まれる段潰し凹部３１に嵌合する如くに安定的に納まり、横方向への移動による荷ずれが防止される。
【００２５】
尚、本実施例において、段潰し凹部３１は天面部２１の輪郭を区画している４つの折り曲げ罫線３０に囲まれる位置よりも内側の領域に設けられており、高段部３２はこの段潰し凹部３１の周囲の折り曲げ罫線３０に沿って形成される。
【００２６】
段ボール箱１００は、段ボールの天面部、底面部に切れ目を入れることがないから、上下の段ボール箱１００の位置合わせのために、上側の段ボール箱１００を下側の段ボール箱１００の上で滑らせても、互いに引っ掛かり等を生じて破損するおそれがなし、作業者の指を傷付けるおそれもない。また、切れ目に起因する強度低下を招くこともないし、切れ目から箱内への異物の侵入もない。
【００２７】
図４に示した展開状態の蓋体２０は、上記実施例の変形例を示し、上記実施例の段潰し凹部３１を段潰し凹部３１Ｋに代えたものである。この変形例の段潰し凹部３１Ｋは、天面部２１の折り曲げ罫線３０に囲まれる位置よりも内側の領域に設けられるに際し、上記折り曲げ罫線３０に囲まれる位置よりも内側で折り曲げ罫線３０に沿って四角枠状をなすように設けられたものである。
【００２８】
この変形例の蓋体２０にあっても、天面部２１には、該天面部２１の内部の段潰し凹部３１Ｋが形成されるとともに、この段潰し凹部３１Ｋの周囲の折り曲げ罫線３０に沿う位置に段潰しされていない高段部３２Ｋが形成される。従って、上下の段ボール箱１００の段積み時に、上側の段ボール箱１００における箱本体１０の底面部１１は、下側の段ボール箱１００における蓋体２０の天面部２１の高段部３２Ｋに囲まれる段潰し凹部３１Ｋに嵌合する如くに安定的に納まり、荷ずれ防止される。尚、下側の段ボール箱１００における蓋体２０の天面部２１の内部で、四角枠状段潰し凹部３１Ｋに囲まれて段潰しされていない部分は、上側の段ボール箱１００の重みで凹み変形し、該上側の段ボール箱１００の受け入れに対する支障にならない。
【００２９】
図４に示した蓋体２０の段ボールは、図６に示す抜き型２００Ａにより加工される。図６に示した抜き型２００Ａが、図５に示した抜き型２００と異なる点は、加圧部材２１２と受け止め部材２２４のそれぞれが四角枠状をなすものとされたことにある。
【００３０】
（実施例２）（図７〜図１０）
図７に示した実施例２の段ボール箱１００が実施例１の段ボール箱１００と異なる点は、蓋体２０の天面部２１の輪郭において、該天面部２１とその周囲に連設される側面部２２、補助側面部２３との４つの折り曲げ罫線４０のそれぞれを、一直線状の折り曲げ罫線３０ではなく、該天面部２１の平面視で、該天面部２１の輪郭の内部に向けて凹み状をなすように変えたことにある。即ち、各折り曲げ罫線４０は、矩形状の天面部２１の相隣る角点同士をつなぐに際し、図８に示す如く、それらの角点に交差する両側の直線状端部４０Ａ、４０Ａと、直線状端部４０Ａよりも天面部２１の内方へ向けて長さＥ（図８）だけ平行移動された直線状中間部４０Ｂと、両側の直線状端部４０Ａを直線状中間部４０Ｂの両端に接続する斜線状接続部４０Ｃとからなる。天面部２１の各角点で交差する２本の折り曲げ罫線４０の直線状端部４０Ａ同士は互いに当該角点で直交し、各折り曲げ罫線４０はそれらの直線状中間部４０Ｂを両側の直線状端部４０Ａよりも天面部２１の内方へ長さＥだけ平行移動し、前述の凹み状をなすものである。
【００３１】
そして、段ボール箱１００は、図８に示す如く、天面部２１の輪郭の内部の、上記折り曲げ罫線４０に囲まれる位置よりも内側の領域に段ボールの段潰し凹部４１を設け、この段潰し凹部４１に上側の段ボール箱１００の箱本体１０の底面部１１を受け入れて載置可能にする。本実施例において、段潰し凹部４１は、例えば前述の抜き型２００により形成され、４つの折り曲げ罫線４０の各直線状中間部４０Ｂに沿う直線状の四辺に囲まれる位置よりも内側の領域に設けられる。
【００３２】
従って、本実施例の段ボール箱１００によれば、蓋体２０における天面部２１の輪郭を区画する折り曲げ罫線４０が、該天面部２１の平面視で、該天面部２１の輪郭の内部に向けて凹み状をなすものとした。この折り曲げ罫線４０は、側面部２２、補助側面部２３の側面視で見るときには、それらの側面部２２、２３の上端側の輪郭を上方に向けて凸状をなすものとなる。従って、この側面視で上方に向けて凸状をなす折り曲げ罫線４０に沿う位置に設けられることとなる高段部４２は、該折り曲げ罫線４０の凸状に沿って上方に高く張り出る張出状をなす。これにより、上下の段ボール箱１００の段積み時には、上側の段ボール箱１００の底面部１１が下側の段ボール箱１００の天面部２１に高く張り出た張出状高段部４２に囲まれる段潰し凹部４１に嵌合する如くになり、一層安定的に納まり荷ずれ防止される。
【００３３】
図９に示した展開状態の蓋体２０は、上記実施例の変形例を示し、上記実施例の段潰し凹部４１を、例えば前述の抜き型２００Ａにより形成される段潰し凹部４１Ｋに変えたものである。この変形例の段潰し凹部４１Ｋは、天面部２１の輪郭を区画する４つの凹み状折り曲げ罫線４０に囲まれる位置よりも内側の領域に設けられるに際し、４つの凹み状折り曲げ罫線４０の各直線状中間部４０Ｂに沿う直線状の四辺に囲まれる位置よりも内側で四角枠状をなすように設けられたものである。
【００３４】
この変形例の蓋体２０にあっても、天面部２１には、該天面部２１の内部の段潰し凹部４１Ｋが形成されるとともに、この段潰し凹部４１Ｋの周囲の凹み状折り曲げ罫線４０に沿う位置に段潰しされていない張出状高段部４２Ｋが形成される。従って、上下の段ボール箱１００の段積み時に、上側の段ボール箱１００の底面部１１は、下側の段ボール箱１００の天面部２１に高く張り出た張出状高段部４２に囲まれる段潰し凹部４１Ｋに嵌合する如くに安定的に納まり、荷ずれ防止される。尚、下側の段ボール箱１００における天面部２１の内部で、四角枠状段潰し凹部４１Ｋに囲まれて段潰しされていない部分は、上側の段ボール箱１００の重みで凹み変形し、該上側の段ボール箱１００の受入れに対する支障にならない。
【００３５】
図１０に示した展開状態の蓋体２０は、上記実施例の変形例を示し、上記実施例の段潰し凹部４１を、例えば前述の抜き型２００Ａにより形成される段潰し凹部４１Ｌに変えたものである。この変形例の段潰し凹部４１Ｌは、天面部２１の輪郭を区画する４つの凹み状折り曲げ罫線４０に囲まれる位置よりも内側の領域に設けられるに際し、４つの折り曲げ罫線４０毎に分離された。各段潰し凹部４１Ｌは、各折り曲げ罫線４０の直線状中間部４０Ｂ及び斜線状接続部４０Ｃに沿う屈曲状をなすように設けられたものである。そして、各段潰し凹部４１Ｌの周囲の凹み状折り曲げ罫線４０に沿う位置に段潰しされていない張出状高段部４２Ｌが形成される。
【００３６】
この変形部におけるように、蓋体２０の天面部２１の輪郭の内部に設けられる段潰し凹部４１Ｌは、天面部２１の内部で連続状をなさずに、天面部２１の内部に断続的に設けられるものであっても、上下の段ボール箱１００の段積み時における荷ずれを防止できる。
【００３７】
尚、上記の各実施例において、段潰し凹部の外縁と折り曲げ罫線との間隔（即ち高段部の幅）は、段積み時におけるボール強度を保持でき、段ボールを比較的コンパクトにできる観点で１ｍｍ以上１０ｍｍ以下が好ましく、３ｍｍ以上６ｍｍ以下がより好ましい。
【００３８】
更に、上記の各実施例において、段潰し凹部の外縁と段積み時における上側段ボールの箱本体の底面部の縦横の輪郭との間隔は、段積み時の上下段ボールの載置安定性や段積みしやすさの観点で１ｍｍ以上５ｍｍ以下が好ましく、２ｍｍ以上３ｍｍ以下がより好ましい。
【産業上の利用可能性】
【００３９】
本発明によれば、段ボール箱において、段ボールに切れ目を入れることなく、段ボールの段潰しに基づく簡易な構成により、段積み時の荷ずれを防止することができる。
【符号の説明】
【００４０】
１０  箱本体
１１  底面部
２０  蓋体
２１  天面部
２２  側面部
２３  補助側面部
３０  折り曲げ罫線
３１、３１Ｋ  段潰し凹部
３２、３２Ｋ  高段部
４０  折り曲げ罫線
４１、４１Ｋ、４１Ｌ  段潰し凹部
４２、４２Ｋ、４２Ｌ  高段部
１００  段ボール箱
【図１】
2016069069.tif 000003
【図２】
2016069069.tif 000004
【図３】
2016069069.tif 000005
【図４】
2016069069.tif 000006
【図５】
2016069069.tif 000007
【図６】
2016069069.tif 000008
【図７】
2016069069.tif 000009
【図８】
2016069069.tif 000010
【図９】
2016069069.tif 000011
【図１０】
2016069069.tif 000012